(57)【特許請求の範囲】
【請求項１】
記憶手段に記憶されている上限レベルと下限レベルの情報に基づき、照明負荷の照度を徐々に暗く又は明るくする調光制御を行う制御部と；
照明負荷の照度を０％と１００％の間の範囲で設定するためのボリュームと；
照明負荷の照度について上限レベルの設定を指示するための第１のスイッチと；
照明負荷の照度について下限レベルの設定を指示するための第２のスイッチと；
前記記憶手段に上限レベルと下限レベルの情報を記憶させるための第３のスイッチと；
前記第１のスイッチが操作された場合に照明負荷の照度が１００％になるように調光制御し、照明負荷の照度が１００％となった後に行われるボリュームの操作に応じて照明負荷の照度を制御し、ボリュームの操作終了後に前記第３のスイッチの操作がなされた場合にボリュームにより設定された照度を上限レベルの情報として前記記憶手段に記憶させると共に、前記第２のスイッチが操作された場合に照明負荷の照度が０％になるように調光制御し、照明負荷の照度が０％となった後に行われるボリュームの操作に応じて照明負荷の照度を制御し、ボリュームの操作終了後に前記第３のスイッチの操作がなされた場合にボリュームにより設定された照度を下限レベルの情報として前記記憶手段に記憶させる制御手段と；
を具備することを特徴とする照明制御装置。
【請求項２】
記憶手段に記憶されている上限レベルと下限レベルの情報に対応するレベルまで照明負荷の照度を上昇又は下降させて停止させる制御の指示を行うための第４のスイッチを備え；
前記制御手段は、第４のスイッチが有効とされている状態において前記第１のスイッチが操作された場合に照明負荷の照度が前記記憶手段に記憶されている上限レベルになるように調光制御する一方、第４のスイッチが有効とされている状態において前記第２のスイッチが操作された場合に照明負荷の照度が前記記憶手段に記憶されている下限レベルになるように調光制御し、照明負荷の照度が上限レベルとなった後に行われるボリュームの操作に応じて照明負荷の照度を制御し、ボリュームの操作終了後に前記第３のスイッチの操作がなされた場合にボリュームにより設定された照度を上限レベルの情報として前記記憶手段に上書きすると共に、照明負荷の照度が下限レベルとなった後に行われるボリュームの操作に応じて照明負荷の照度を制御し、ボリュームの操作終了後に前記第３のスイッチの操作がなされた場合にボリュームにより設定された照度を下限レベルの情報として前記記憶手段に上書きすることを特徴とする請求項１記載の照明制御装置。
【請求項３】
照明負荷の照度を徐々に暗く又は明るくする再生モードによる調光制御が行われる場合に、前記制御部は、第４のスイッチが有効とされている状態において前記第１のスイッチが操作されると照明負荷の照度を前記記憶手段に記憶されている上限レベルになるように徐々に明るくする調光制御を行う一方、第４のスイッチが有効とされている状態において前記第２のスイッチが操作されると照明負荷の照度を前記記憶手段に記憶されている下限レベルになるように徐々に暗くする調光制御を行うことを特徴とする請求項２記載の照明制御装置。
【発明の詳細な説明】
【０００１】
【発明の属する技術分野】
本発明は、劇場の舞台及び客席部や宴会場等に設置された照明負荷を調光する場合に好適な照明制御装置に関する。
【０００２】
【従来の技術】
一般に、この種の照明制御装置は、複数の照明負荷の各々の照度を制御する複数の調光器が収納された調光盤と、複数の照明負荷の各々の照度が設定可能であってその設定照度を調光盤に送信する調光操作卓を有する。また、この種の照明制御装置では、例えば劇場の客席部に設置されている照明負荷の照度を、予め記憶されている上限レベルと下限レベルの間で徐々に暗くしたり、明るく（フェード）する調光制御するものが知られている。
従来例（１）
従来の調光操作卓には、上記フェード時の照明負荷の照度の上限レベルと下限レベルを設定するために、照度を明るい方向に設定させるための「明」スイッチと、暗い方向に設定させるための「暗」スイッチと、照度変化を途中で止めるための「止」スイッチと、照度の上限レベル及び下限レベルを共に０〜１００％の範囲でそれぞれ設定するための上限ボリューム及び下限ボリュームが設けられている。
【０００３】
そして、このような操作スイッチ及びボリュームの組み合わせによる照度は乗算値により制御される。すなわち、上限ボリューム及び下限ボリュームにより設定された各値を上限レベル及び下限レベルとして「明」、「暗」及び「止」スイッチにより設定される。したがって、操作者が無用に「明」、「暗」及び「止」スイッチを操作しても設定上限レベルより明るくならず、また、設定下限レベルより暗くならない。そのため、設定上限レベルより更に明るくするためには上限ボリュームを操作して設定上限レベルを上げる操作を行い、また、設定下限より更に暗くするためには下限ボリュームを操作して設定下限レベルを下げる操作を行う。
【０００４】
従来例（２）
この種の調光操作卓としては、大別して劇場、ホール、スタジオ等において専門のオペレータ（照明専門家）が使用するものと、宴会場、結婚式場、学校の講堂等において専門的でない、いわゆる素人のオペレータが使用するものがある。前者の照明操作卓は、照明専門家が照明による凝った演出を行うことができるようにスイッチ部が複雑であり、機能が充実している。他方、後者の照明操作卓は、あまり凝った照明を行わず、単に場の雰囲気を変えるためでよいので、素人のオペレータが簡単に操作することができるようにスイッチ部が簡素である。
【０００５】
【発明が解決しようとする課題】
しかしながら、上記従来例（１）では、照度の上限レベル及び下限レベルを共に０〜１００％の範囲でそれぞれ設定するために上限ボリューム及び下限ボリュームが設けられており、また、ボリュームは機械的であるので、誤操作により下限が上限を上回ると調光制御を行うことができないという問題点がある（第１の問題点）。なお、この上限と下限の逆転現象を防止するためにボリュームのつまみを機構的に細工したり、ペン等により設定レベルをマークする必要がある。
【０００６】
なお、他の従来例（１）としては、明側から暗側に向かって、又は暗側から明側に向かってフェードさせる際にその収束レベルを設定するための収束ボリュームを設け、０％から設定レベルまでの範囲、又は設定レベルから１００％の範囲で調光可能なものも知られている。
【０００７】
上記（２）の従来例における多機能の照明操作卓は、専門のオペレータではない素人では使いこなせないという問題点がある（第２の問題点）。特に、近年の多機能の照明操作卓は、複数の機能（スイッチ部）を組み合わせて明かりを創造することができるので、素人が操作すると現在の明かりがどの機能の組み合わせか分からない場合が発生する。
【０００８】
本発明は上記第１の問題点に鑑み、予め記憶されている上限レベルと下限レベルの間で照明負荷の照度を徐々に暗く又は明るくする照明制御装置において上限レベルと下限レベルを設定する際の誤操作を防止して確実に調光制御することができる照明制御装置を提供することを第１の目的とする。
本発明は上記第２の問題点に鑑み、照明の専門のオペレータと専門的でないオペレータの両方にとって使い勝手がよい照明制御装置を提供することを第２の目的とする。
【０００９】
【課題を解決するための手段】
請求項１記載の発明は、記憶手段に記憶されている上限レベルと下限レベルの情報に基づき、照明負荷の照度を徐々に暗く又は明るくする調光制御を行う制御部と；照明負荷の照度を０％と１００％の間の範囲で設定するためのボリュームと；照明負荷の照度について上限レベルの設定を指示するための第１のスイッチと；照明負荷の照度について下限レベルの設定を指示するための第２のスイッチと；前記記憶手段に上限レベルと下限レベルの情報を記憶させるための第３のスイッチと；前記第１のスイッチが操作された場合に照明負荷の照度が１００％になるように調光制御し、照明負荷の照度が１００％となった後に行われるボリュームの操作に応じて照明負荷の照度を制御し、ボリュームの操作終了後に前記第３のスイッチの操作がなされた場合にボリュームにより設定された照度を上限レベルの情報として前記記憶手段に記憶させると共に、前記第２のスイッチが操作された場合に照明負荷の照度が０％になるように調光制御し、照明負荷の照度が０％となった後に行われるボリュームの操作に応じて照明負荷の照度を制御し、ボリュームの操作終了後に前記第３のスイッチの操作がなされた場合にボリュームにより設定された照度を下限レベルの情報として前記記憶手段に記憶させる制御手段と；を具備することを特徴とする。
【００１０】
請求項２記載の発明は、記憶手段に記憶されている上限レベルと下限レベルの情報に対応するレベルまで照明負荷の照度を上昇又は下降させて停止させる制御の指示を行うための第４のスイッチを備え；前記制御手段は、第４のスイッチが有効とされている状態において前記第１のスイッチが操作された場合に照明負荷の照度が前記記憶手段に記憶されている上限レベルになるように調光制御する一方、第４のスイッチが有効とされている状態において前記第２のスイッチが操作された場合に照明負荷の照度が前記記憶手段に記憶されている下限レベルになるように調光制御し、照明負荷の照度が上限レベルとなった後に行われるボリュームの操作に応じて照明負荷の照度を制御し、ボリュームの操作終了後に前記第３のスイッチの操作がなされた場合にボリュームにより設定された照度を上限レベルの情報として前記記憶手段に上書きすると共に、照明負荷の照度が下限レベルとなった後に行われるボリュームの操作に応じて照明負荷の照度を制御し、ボリュームの操作終了後に前記第３のスイッチの操作がなされた場合にボリュームにより設定された照度を下限レベルの情報として前記記憶手段に上書きすることを特徴とする。
【００１１】
請求項３記載の発明は、照明負荷の照度を徐々に暗く又は明るくする再生モードによる調光制御が行われる場合に、前記制御部は、第４のスイッチが有効とされている状態において前記第１のスイッチが操作されると照明負荷の照度を前記記憶手段に記憶されている上限レベルになるように徐々に明るくする調光制御を行う一方、第４のスイッチが有効とされている状態において前記第２のスイッチが操作されると照明負荷の照度を前記記憶手段に記憶されている下限レベルになるように徐々に暗くする調光制御を行うことを特徴とする。
【００１４】
【発明の実施の形態】
以下、図面を参照して本発明の実施の形態を説明する。図１は本発明に係る照明制御装置の一実施形態を示すブロック図、図２は図１のスイッチ部を示す構成図、図３は図２の客席調光部を詳しく示す構成図、図４は上限レベル設定処理を示すフローチャート、図５は下限レベル設定処理を示すフローチャート、図６はフェード処理を示すフローチャートである。
【００１５】
図１において、調光盤１０内には複数の調光器１１と、制御ユニット・電源１２が収納され、複数の調光器１１の各々は調光操作卓２０において予め設定された照度レベルに応じて複数の負荷ランプ１４の各照度をチャネル毎に位相制御により調光する。制御ユニット・電源１２は調光信号線３１を介して調光操作卓２０に接続されている。
【００１６】
調光操作卓２０は概略的に、ＣＰＵ基板２１ａとスイッチ基板２２により構成され、ＣＰＵ基板２１ａにはＣＰＵ２４と、複数の負荷ランプ１４の各設定照度やモード等を記憶するためのメモリ２５と、簡単操作モード時に有効なスイッチ部を設定するためのＤＩＰスイッチ２６が設けられている。ここで、この種の照明制御装置としてはアナログ方式とデジタル方式が知られている。ＣＰＵ２４はアナログ方式の場合には複数の調光器１１の各々に対して各設定照度に応じた値の電圧又は電流信号をＤ／Ａ変換器を介して出力し、他方、デジタル方式の場合には調光盤１０に対して、米国劇場技術協会（ＵＳＩＴＴ：United States Institute for Theartre Technology ）により規格化されたＤＭＸ−５１２／１９９０方式により各設定照度信号を出力するように構成されている。このため、ＣＰＵ２４はメモリ２５に記憶されている負荷ランプ１４の設定照度値をそのチャネルアドレスと共にデジタル信号で出力する。
【００１７】
スイッチ基板２２には一例として図２に示すように、
・メインスイッチ部１１０と、
・プリセットフェーダ（ＰＦ）スイッチ部１２０と、
・シーン再生スイッチ部１３０と、
・シーンクロス再生スイッチ部１４０、と
・チェイス再生スイッチ部１５０と、
・ＯＮ／ＯＦＦ再生スイッチ部１６０と、
・劇場の客席に設けらている複数の負荷ランプ１４をフェードするための客席調光部１７０と、
・再生モード選択部１８０と、
・パッチ部１９０と、
・自動スイッチ部２００と、
・フロッピーディスク操作部２１０が設けられている。
【００１８】
メインスイッチ部１１０には電源スイッチ１１１と、再生／記憶モード切り替えキーＳＷと、２つの袖スイッチ１１２と、パネル面表示灯１１３と、標準操作モード／簡単操作モード切り替えスイッチ１１４が設けられている。プリセットフェーダ（ＰＦ）スイッチ部１２０には１６チャネルの照明負荷毎及び現シーンＡ、次シーンＢ毎のプリセットフェーダ／フリーフェーダ１２１と、例えば１６チャネル毎のプリセットフェーダモード／フリーフェーダモードの切り替えスイッチ１２２が設けられている。シーン再生スイッチ部１３０には２５シーン分のシーン選択スイッチ１３１等が設けられている。シーンクロス再生スイッチ部１４０には現シーンＡと次シーンＢの照度の組み合わせ具合を調整するためのシーンクロスフェーダ１４１と、オンエアシーンとスタンバイシーンの番号表示部１４２が設けられている。
【００１９】
ここで、図１に示すように簡単操作モード時に有効となるスイッチ部１１０〜２１０を設定するためのＤＩＰスイッチ２６が設けられ、このＤＩＰスイッチ２６はユーザとの取り決めに応じて設定される。そして、立ち上げが終了して調光制御を行う場合には、ＣＰＵ２４は標準操作モード／簡単操作モード切り替えスイッチ１１４により標準操作モードが設定されている場合には全てのスイッチ部１１０〜２１０の操作を有効にしてその操作に応じた調光制御を行い、他方、簡単操作モードが設定されている場合にはＤＩＰスイッチ２６により有効と設定されているスイッチ部の操作を有効にしてその操作に応じた調光制御を行い、有効と設定されていないスイッチ部の操作を無視する。なお、ＤＩＰスイッチ２６の代りに、フロッピディスク等の他の設定手段を用いてもよい。
【００２０】
なお、専門的でないオペレータの使い勝手を更に向上させるために、スイッチ部１１０〜２１０毎に有効／無効を示すランプを設け、簡単操作モード時にこのランプを点灯することにより、現在有効なスイッチ部を知らせるようにしてもよい。また、スイッチ部１１０〜１９０の塗装色を部分的に変更したり、枠で囲んで識別可能にしてもよく、また、簡単操作モード時に無効なスイッチ部をカバーで覆うようにしてもよい。
【００２１】
図３は客席調光部１７０を詳しく示し、この客席調光部１７０には
・リミットスイッチ（ＳＷ）１ａ及びそのＬＥＤ１ｂと、
・記憶ＳＷ２ａ及びそのＬＥＤ２ｂと、
・明ＳＷ３−１ａ及びそのＬＥＤ３−１ｂ、止ＳＷ３−２ａ及びそのＬＥＤ３−２ｂ、暗ＳＷ３−３ａ及びそのＬＥＤ３−３ｂを有する自動調光ＳＷ３と、
・早ＳＷ４−１及び遅ＳＷ４−２を有するフェード速度設定ＳＷ４と、
・フェード速度設定ＳＷ４により設定されたフェード速度を表示するための設定速度モニタ５が設けられている。このモニタ５は４つのＬＥＤにより構成され、また、自動時には赤で点灯する。
【００２２】
また、客席調光部１７０には
・例えば５つ（５チャネル分）の自動調光／ＰＦ（プリセットフェーダ）切替ＳＷ６ａ及び切替ＳＷ６ａに対応する５チャネル分の自動調光／ＰＦ切替表示灯６ｂと、・０〜１００％の範囲で上下方向にスライドする５チャネル分の客席調光用フェーダ７ａ及びフェーダ７ａに対応する５チャネル分の客席フェーダレベルモニタ７ｂと、
・０〜１００％の範囲で上下方向にスライドする客席調光用マスタフェーダ８ａ及びマスタフェーダ８ａに対応する客席マスタフェーダレベルモニタ８ｂが設けられている。客席フェーダレベルモニタ７ｂはダブルパッチ時には黄色で点灯し、単独時には赤で点灯する。
【００２３】
次に図４を参照して上限レベルを設定する場合のＣＰＵ２４の処理及び操作を説明する。先ず、ステップ（１）においてオペレータが再生／記憶モード切り替えキーＳＷを「記憶側」に設定し、続くステップ（２）においてオペレータが５チャネルの客席調光用フェーダ７ａの全てを最も下（０％）に設定し、また、５チャネルの自動調光／ＰＦ切替ＳＷ６ａの内、レベルセットを行う１チャネルを「自動」に設定すると、ＣＰＵ２４はそのチャネルに対応する自動調光／ＰＦ切替表示灯６ｂを点灯する。
【００２４】
続くステップ（３）では、明ＳＷ３−１ａのＬＥＤ３−１ｂとリミットＳＷ１ａのＬＥＤ１ｂの状態に応じて以下のような操作及び処理を行う。
・明ＳＷ３−１ａのＬＥＤ３−１ｂが点灯中であってリミットＳＷ１ａのＬＥＤ１ｂが点灯中の場合→ステップ（１１）
・明ＳＷ３−１ａのＬＥＤ３−１ｂが点灯中であってリミットＳＷ１ａのＬＥＤ１ｂが消灯中の場合→ステップ（７）
・明ＳＷ３−１ａのＬＥＤ３−１ｂが点滅中であってリミットＳＷ１ａのＬＥＤ１ｂが点灯中の場合→ステップ（１０）
・明ＳＷ３−１ａのＬＥＤ３−１ｂが点滅中であってリミットＳＷ１ａのＬＥＤ１ｂが消灯中の場合→ステップ（６）。
・明ＳＷ３−１ａのＬＥＤ３−１ｂが消灯中であってリミットＳＷ１ａのＬＥＤ１ｂが点灯中の場合→ステップ（４）
・明ＳＷ３−１ａのＬＥＤ３−１ｂが消灯中であってリミットＳＷ１ａのＬＥＤ１ｂが消灯中の場合→ステップ（５）
【００２５】
先ず、ステップ（５）では、明ＳＷ３−１ａが押下されると、ＣＰＵ２４は明ＳＷ３−１ａのＬＥＤ３−１ｂを点滅し、次いで「自動」に設定されたチャネルの調光器１１に対して、フェード速度設定ＳＷ４により予め設定されたフェード時間の間において０％から１００％まで徐々に明るくなる照度値を送信し、次いでステップ（６）に進む。
【００２６】
ステップ（６）では、ＣＰＵ２４は照度値が１００％になった時点で明ＳＷ３−１ａのＬＥＤ３−１ｂを点灯し、次いでステップ（７）に進む。次いでステップ（７）では、「自動」に設定されたチャネルのフェーダ７ａをオペレータが１００％まで上げることにより、実際の照度とフェーダレベルを合わせる。次いでステップ（８）において、「自動」に設定されたチャネルのフェーダ７ａをオペレータが設定したい上限レベルまで下げると、ＣＰＵ２４はその照度値を送信する。
【００２７】
これにより、そのチャネルの負荷ランプ１４の照度が変化するので、オペレータはこの照度を観察して上限レベルを設定することができる。次いでステップ（９）において、オペレータがリミットＳＷ１ａを押下するとＬＥＤ３−１ｂを点灯し、次いでステップ（１２）に進む。続くステップ（１２）ではオペレータはこの上限レベルを設定して記憶ＳＷ２ａを押下すると、ＣＰＵ２４はこの設定上限レベルをメモリ２５に格納し、これにより上限設定処理が完了する（リミットＳＷ１ａはオンのまま）。
【００２８】
また、ステップ（４）では、明ＳＷ３−１ａが押下されると、ＣＰＵ２４は明ＳＷ３−１ａのＬＥＤ３−１ｂを点滅し、次いで「自動」に設定されたチャネルの調光器１１に対して、フェード速度設定ＳＷ４により予め設定されたフェード時間の間において０％から予め設定されている上限レベルまで徐々に明るくなる照度値を送信し、次いでステップ（１０）に進む。
【００２９】
ステップ（１０）では、各フェーダ７ａの出力レベル共に、予め設定されている上限レベルで停止して明ＳＷ３−１ａのＬＥＤ３−１ｂを点灯し、次いでステップ（１１）に進む。ステップ（１１）では、「自動」に設定されたチャネルに対応するフェーダ７ａをオペレータが上に徐々に移動すると、ＣＰＵ２４はその上下方向の位置に応じた照度値を、そのフェーダ７ａに対応するチャネルの調光器１１に送信する。これにより、そのチャネルの負荷ランプ１４の照度が変化するので、オペレータはこの照度を観察して設定上限レベルを変更することができる。続くステップ（１２）ではオペレータはこの設定上限レベルを変更して記憶ＳＷ２ａを押下すると、ＣＰＵ２４はこの設定上限レベルをメモリ２５に上書きし、これにより上限変更処理が完了する（リミットＳＷ１ａはオンのまま）。
【００３０】
次いで設定上限レベルを使用して照度を再生する場合には、オペレータがリミットＳＷ１ａをオンのままにしてキーＳＷを再生モードに切り替える。なお、この再生モード時には記憶ＳＷ２ａは無効となる。
【００３１】
次に図５を参照して下限レベルを設定する場合のＣＰＵ２４の処理及び操作を説明する。先ず、ステップ（１）においてオペレータが再生／記憶モード切り替えキーＳＷを「記憶側」に設定し、続くステップ（２）においてオペレータが５チャネルの客席調光用フェーダ７ａの全てを最も下（０％）に設定し、また、５チャネルの自動調光／ＰＦ切替ＳＷ６ａの内、レベルセットを行う１チャネルを「自動」に設定すると、ＣＰＵ２４はそのチャネルに対応する自動調光／ＰＦ切替表示灯６ｂを点灯する。
【００３２】
続くステップ（３）では、暗ＳＷ３−３とリミットＳＷ１の状態に応じて以下のような操作及び処理を行う。
・暗ＳＷ３−３ａのＬＥＤ３−３ｂが点灯中であってリミットＳＷ１ａのＬＥＤ１ｂが点灯中の場合→ステップ（１１）
・暗ＳＷ３−３ａのＬＥＤ３−３ｂが点灯中であってリミットＳＷ１ａのＬＥＤ１ｂが消灯中の場合→ステップ（８）
・暗ＳＷ３−３ａのＬＥＤ３−３ｂが点滅中であってリミットＳＷ１ａのＬＥＤ１ｂが点灯中の場合→ステップ（１０）
・暗ＳＷ３−３ａのＬＥＤ３−３ｂが点滅中であってリミットＳＷ１ａのＬＥＤ１ｂが消灯中の場合→ステップ（６）
・暗ＳＷ３−３ａのＬＥＤ３−３ｂが消灯中であってリミットＳＷ１ａのＬＥＤ１ｂが点灯中の場合→ステップ（４）
・暗ＳＷ３−３ａのＬＥＤ３−３ｂが消灯中であってリミットＳＷ１ａのＬＥＤ１ｂが消灯中の場合→ステップ（５）
【００３３】
先ず、ステップ（５）では、暗ＳＷ３−３ａが押下されるとそのＬＥＤ３−３ｂを点滅し、次いで「自動」に設定されたチャネルの調光器１１に対して、フェード速度設定ＳＷ４により予め設定されたフェード時間の間において、０％まで徐々に暗くなる照度値を送信し、次いでステップ（６）に進む。
【００３４】
ステップ（６）では、ＣＰＵ２４は照度値が０％になった時点で暗ＳＷ３−３ａのＬＥＤ３−３ｂを点灯し、次いでステップ（８）に進む。ステップ（８）では、「自動」に設定されたチャネルのフェーダ７ａをオペレータが設定したい下限レベルまで上げると、ＣＰＵ２４はその照度値を送信する。これにより、そのチャネルの負荷ランプ１４の照度が変化するので、オペレータはこの照度を観察して下限レベルを設定することができる。
【００３５】
次いでステップ（９）において、オペレータがリミットＳＷ１ａを押下するとＬＥＤ３−１ｂを点灯し、次いでステップ（１２）に進む。続くステップ（１２）ではオペレータはこの下限レベルを設定して記憶ＳＷ２ａを押下すると、ＣＰＵ２４はこの設定下限レベルをメモリ２５に格納し、これにより下限設定処理が完了する（リミットＳＷ１ａはオンのまま）。
【００３６】
また、ステップ（４）では、暗ＳＷ３−３ａが押下されるとそのＬＥＤ３−３ｂを点滅し、次いで「自動」に設定されたチャネルの調光器１１に対して、フェード速度設定ＳＷ４により予め設定されたフェード時間の間において、予め設定されている下限レベルまで徐々に暗くなる照度値を送信し、次いでステップ（１０）に進む。
【００３７】
ステップ（１０）では、各フェーダ７ａの出力レベル共に、予め設定されている下限レベルで停止して暗ＳＷ３−３ａのＬＥＤ３−３ｂを点灯し、次いでステップ（１１）に進む。ステップ（１１）では、「自動」に設定されたチャネルに対応するフェーダ７ａをオペレータが上に徐々に移動すると、ＣＰＵ２４はその上下方向の位置に応じた照度値を、そのフェーダ７ａに対応するチャネルの調光器１１に送信する。これにより、そのチャネルの負荷ランプ１４の照度が変化するので、オペレータはこの照度を観察して設定下限レベルを変更することができる。続くステップ（１２）ではオペレータはこの設定下限レベルを変更して記憶ＳＷ２ａを押下すると、ＣＰＵ２４はこの設定下限レベルをメモリ２５に上書きし、これにより下限変更処理が完了する（リミットＳＷ１ａはオンのまま）。
【００３８】
次いで下限レベルを使用して照度を再生する場合には、オペレータがリミットＳＷ１ａをオンのままにしてキーＳＷを再生モードに切り替える。なお、この再生モード時には記憶ＳＷ２ａは無効となる。
【００３９】
次に図６を参照して再生する場合のＣＰＵ２４の処理及び操作を説明する。先ず、ステップ（１）においてオペレータが再生／記憶モード切り替えキーＳＷを「再生側」に設定し、また、客席調光用フェーダ７ａを０％に設定する。続くステップ（２）では、リミット再生する場合にはステップ（５）に進み、他方、リミット再生しない場合にはステップ（３）に進む。
【００４０】
ステップ（３）では、暗ＳＷ３−３ａのＬＥＤ３−３ｂが点灯中、または止ＳＷ３−２ａのＬＥＤ３−２ｂが点灯中に、明ＳＷ３−１ａが押下されるとそのＬＥＤ３−１ｂを点滅すると共に、フェード速度設定ＳＷ４により予め設定されたフェード時間の間において１００％まで徐々に明るくなる照度値を送信し、１００％になると明ＳＷ３−１ａのＬＥＤ３−１ｂを点灯する。次いでリミット再生する場合にはステップ（５）に進み、他方、リミット再生しない場合にはステップ（４）に進み、また、記憶操作を行う場合には図３に示す処理に進む。
【００４１】
ステップ（４）では、明ＳＷ３−１ａのＬＥＤ３−１ｂが点灯中、または止ＳＷ３−２ａのＬＥＤ３−２ｂが点灯中に、暗ＳＷ３−３ａが押下されるとそのＬＥＤ３−３ｂを点滅すると共に、フェード速度設定ＳＷ４により予め設定されたフェード時間の間において０％まで徐々に暗くなる照度値を送信し、０％になると暗ＳＷ３−３ａのＬＥＤ３−３ｂを点灯する。次いでリミット再生する場合にはステップ（５）に進み、他方、リミット再生しない場合にはステップ（４）に進み、また、記憶操作を行う場合には図３に示す処理に進む。
【００４２】
ステップ（５）では、リミットＳＷ１ａが押下されるとそのＬＥＤ１ｂを点灯し、次いでステップ（６）に進む。ステップ（６）では、暗ＳＷ３−３ａのＬＥＤ３−３ｂが点灯中、または止ＳＷ３−２ａのＬＥＤ３−２ｂが点灯中に、明ＳＷ３−１ａが押下されるとそのＬＥＤ３−１ｂを点滅すると共に、フェード速度設定ＳＷ４により予め設定されたフェード時間の間において設定上限レベルまで徐々に明るくなる照度値を送信し、設定上限レベルになると明ＳＷ３−１ａのＬＥＤ３−１ｂを点灯する。次いでリミット再生しない場合にはステップ（４）に進み、他方、リミット再生する場合にはステップ（６）に進み、また、記憶操作を行う場合には図３に示す処理に進む。
【００４３】
ステップ（７）では、明ＳＷ３−１ａのＬＥＤ３−１ｂが点灯中、または止ＳＷ３−２ａのＬＥＤ３−２ｂが点灯中に、暗ＳＷ３−３ａが押下されるとそのＬＥＤ３−３ｂを点滅すると共に、フェード速度設定ＳＷ４により予め設定されたフェード時間の間において設定下限レベルまで徐々に暗くなる照度値を送信し、設定下限レベルになると暗ＳＷ３−３ａのＬＥＤ３−３ｂを点灯する。次いでリミット再生しない場合にはステップ（３）に進み、他方、リミット再生する場合にはステップ（６）に進み、また、記憶操作を行う場合には図３に示す処理に進む。以上の通り、本実施例では、照明負荷の照度について上限レベルの設定を指示するための第１のスイッチとしての明ＳＷ３−１ａを備え、照明負荷の照度について下限レベルの設定を指示するための第２のスイッチとしての暗ＳＷ３−３ａを備える。また、記憶手段であるメモリ２５に上限レベルと下限レベルの情報を記憶させるための第３のスイッチとしての記憶ＳＷ２ａを有する。更に、記憶手段であるメモリ２５に記憶されている上限レベルと下限レベルの情報に対応するレベルまで照明負荷の照度を上昇又は下降させて停止させる指示を行うための第４のスイッチとしてのリミットＳＷ１ａを備えている。
【００４４】
なお、上記実施形態によれば、上書きを１つの記憶ＳＷ２ａにより行うようにしたが、スイッチを１つ増加して消去ＳＷを別途設けてもよい。また、設定上限レベルへのフェードを明ＳＷ３−１ａとリミットＳＷ１ａにより行い、設定下限レベルへのフェードを暗ＳＷ３−３ａとリミットＳＷ１ａにより行うようにしたが、スイッチを１つ増加して設定上限レベル、設定下限レベルへのフェードをそれぞれ上限リミットスイッチ、下限リミットスイッチにより行うようにしてもよい。
【００４５】
【発明の効果】
以上説明したように請求項１記載の発明によれば、１つのボリュームにより上限レベルと下限レベルを設定するので、従来例のように上限ボリュームと下限ボリュームの誤操作により下限が上限を上回ることを防止して調光制御を確実に行うことができる。
【００４６】
請求項２記載の発明によれば、記憶手段に記憶されている上限レベルと下限レベルを１つのボリュームにより変更することができ、また、この場合にも上限ボリュームと下限ボリュームの誤操作により下限が上限を上回ることを防止して調光制御を確実に行うことができる。
【００４７】
請求項３記載の発明によれば、記憶手段に記憶されている上限レベルと下限レベルの間で照明負荷の照度を確実に調光制御することができる。
【図面の簡単な説明】
【図１】本発明に係る照明制御装置の一実施形態を示すブロック図である。
【図２】図１のスイッチ部を示す構成図である。
【図３】図２の客席調光部を詳しく示す構成図である。
【図４】上限レベル設定処理を示すフローチャートである。
【図５】下限レベル設定処理を示すフローチャートである。
【図６】フェード処理を示すフローチャートである。
【符号の説明】
１ａ  リミットスイッチ（ＳＷ）
２ａ  記憶ＳＷ
３−１ａ  明ＳＷ
３−２ａ  止ＳＷ
３−３ａ  暗ＳＷ
７ａ  客席調光用フェーダ
８ａ  客席調光用マスタフェーダ
１０  調光盤
１１  調光器
１２  制御ユニット・電源
１４  負荷ランプ
２０  調光操作卓
２４  ＣＰＵ
２５  メモリ
２６  ＤＩＰスイッチ
【図１】
0004032497.tif 000002
【図２】
0004032497.tif 000003
【図３】
0004032497.tif 000004
【図４】
0004032497.tif 000005
【図５】
0004032497.tif 000006
【図６】
0004032497.tif 000007